(57)【特許請求の範囲】
【請求項１】
外部モニタ信号収受用インターフェイス回路を具えた信号処理装置、電源制御回路、及び内蔵電池が、長期に係留する係留ブイの耐圧容器に内蔵され、該耐圧容器に取り付けられたコネクタを介して外部モニタを接続可能に構成された係留ブイの信号及び電源制御装置において、
前記耐圧容器内若しくは外部モニタ側に、外部モニタの接続を検知する検知手段を設け、該検知手段により外部モニタが未接続な係留ブイの係留中の状態を検知し、耐圧容器内に内蔵した外部モニタ信号収受用インターフェイス回路への電源供給をＯＦＦにし、一方係留ブイに外部モニタを接続することにより前記検知手段よりの信号をトリガとしてインターフェイス回路に電源を供給し、容器内の信号処理装置と外部モニタ装置との間の通信を可能とするように構成した事を特徴とする係留ブイの信号及び電源制御装置。
【発明の詳細な説明】
【０００１】
【発明の属する技術分野】
本発明は係留ブイの係留ブイの信号及び電源制御装置に係り、特に外部モニタを接続するための係留ブイに適用する係留ブイの信号及び電源制御装置に関する。
【０００２】
【発明が解決しようとする課題】
係留ブイ用の外部モニタは係留ブイの設置前及び回収後にブイ内部を点検整備するために用いられ、係留中には接続しない。
従来は、外部モニタ用インターフェイス回路と信号処理装置は同一の電源制御が行われていたため、外部モニタが接続されていなくても、外部モニタ用インターフェイス回路に係留ブイの耐圧容器に内蔵されている電池によって電力が供給され続けており、この為インターフェイス回路が全く使用されない状態下にあっても電力供給がなされているために、不必要に内蔵電池を消費していた。
【０００３】
即ち、より具体的に説明するに、係留ブイの耐圧容器は簡単に開放することが難しいため、外部モニタを用いて作動点検を行うが、従来はブイ内部の信号処理装置と外部モニタとの間のインターフェイスのための電力が、係留ブイの耐圧容器に内蔵される電池によって供給されていた。
この方法では観測作動中の時のように、外部モニタが接続されていない場合でも、そのインターフェイスのために電力を使用することとなるため、無駄な電力を消費することになる。
【０００４】
本発明はかかる技術的課題に鑑み、観測作動中のように外部モニタ装置とのインターフェイスが不要な場合は、インターフェイスに関わる部分への電力の供給を行わないようにすることで、係留ブイに内蔵されている電池の電力消費を節約するものである。
【０００５】
即ち、より具体的には、本発明は、係留ブイが係留中においては外部モニタ用インターフェイス回路には電源を供給する事なく、信号処理装置本体側にのみ電源、特に内蔵電池よりの電源を供給するようにし、一方前記インターフェイス側への電力の供給を行わないようにすることで、係留ブイに内蔵されている内蔵電池の電力消費を節約することを目的とするものである。
【０００６】
又発明は、係留ブイが係留中においては、信号処理装置本体側への電源供給を内蔵電池で行うも、外部電源が接続された場合には内蔵電池側よりの電源供給ラインをＯＦＦにすることで、係留ブイに内蔵されている内蔵電池の電力消費を節約することを目的とするものである。
【０００７】
【課題を解決するための手段】
外部モニタ信号収受用インターフェイス回路を具えた信号処理装置、電源制御回路、及び内蔵電池が、長期に係留する係留ブイの耐圧容器に内蔵され、該耐圧容器に取り付けられたコネクタを介して外部モニタを接続可能に構成された係留ブイの信号及び電源制御装置において、
前記耐圧容器内若しくは外部モニタ側に、外部モニタの接続を検知する検知手段を設け、該検知手段により外部モニタが未接続な係留ブイの係留中の状態を検知し、耐圧容器内に内蔵した外部モニタ信号収受用インターフェイス回路への電源供給をＯＦＦにし、一方係留ブイに外部モニタを接続することにより前記検知手段よりの信号をトリガとしてインターフェイス回路に電源を供給し、容器内の信号処理装置と外部モニタ装置との間の通信を可能とするように構成した事を特徴とするものである。
【０００８】
すなわちより具体的に説明するに、係留ブイは係留動作中は前記検知手段よりの信号を取込まないためにインターフェイス回路には電源を供給せず、一方係留ブイに外部モニタを接続することにより前記検知手段よりの信号をトリガとしてインターフェイス回路に電源を供給し、容器内の信号処理装置と外部モニタ装置との間の通信を可能とするものである、これにより耐圧容器を開放することなく、必要時だけ外部モニタと通信することが出来る。
尚、前記外部モニタと接続した際に使用される電源には内蔵電池の場合と外部電源の場合がある。
【０００９】
かかる発明によれば、外部電源が水中コネクタ３に接続されている場合は、内蔵電池側よりの電源供給ラインがＯＦＦとなり、この場合も内蔵電池６が消費されないようになっている為に、係留ブイに内蔵されている電池の電力消費を節約することが出来る。
【００１０】
【発明の実施の形態】
以下、本発明の実施例の形態を、図示例と共に説明する。ただし、この実施例に記載されている構成部品の寸法、形状、その相対的位置等は特に特定的な記載がないかぎりは、この発明の範囲をそれに限定する趣旨ではなく、単なる説明例にすぎない。
図１は水中コネクタ３と電源制御装置４、信号処理装置５及び内蔵電池６との係留ブイ作動中の関係を示した係留ブイの電装品関係を示す全体構成図、図２は外部モニタ１と外部電源２を水中コネクタ３に接続した場合の図１に対応する全体構成図を示したものである。図３は図１及び図２の電源制御装置４の詳細を、図４は図１及び図２の信号処理装置５の詳細を示したものである。
【００１１】
図１及び図２において、７は係留ブイを構成する耐圧容器で、該容器内に電源制御装置４、信号処理装置５及び内蔵電池６が、又前記容器７表面に外部モニタと外部電源とを接続させる水中コネクタ３を取り付ける。
そして水中コネクタ３と信号処理装置５間には、外部モニタ１と信号処理装置５間で信号のやり取りを行うＲＳ２３２Ｃのシリアル信号ラインｅが、又水中コネクタ３と電源制御装置４間には外部電源２を電源制御装置４に取込むための電源供給ラインａ、ｂ、ｃが夫々接続されている。又水中コネクタ３のラインｂ、ｃ端子間には、該２つの端子ｂ／ｃ間を短絡させるジャンパ線１９が接続されている。
【００１２】
又電源制御装置４には内蔵電池６が接続されているとともに、該電源制御装置４と信号処理装置５間には内蔵電池６若しくは外部電源２のいずれかを選択的に供給する電源供給ラインｄが接続されている。
電源制御装置４には、半導体リレー８及びダイオード２１、２２が所定のライン上に配設されており、電源供給ラインｂ、ｃのジャンパ線１９による短絡の有無等により前記半導体リレー８がＯＮ／ＯＦＦ制御され、半導体リレー８がＯＮの場合に内蔵電池６がダイオード２２、供給ラインｄ１及びｄを介して信号処理装置５に、又半導体リレー８がＯＦＦの場合には内蔵電池６側よりの電源供給が停止し、代りに外部電源２より供給ラインａ、ｄ２及びｄを介して信号処理装置５に、夫々電源が供給可能に構成されている。
【００１３】
信号処理装置５の信号ラインｅ上には、ラインドライバ・レシーバ１１、シリアル通信用ＬＳＩ１２、バスドライバ１３、及びＣＰＵ１４が接続されており、外部モニタ１の信号をシリアル／パラレル変換しながらＣＰＵ１４に、又ＣＰＵ１４の信号をパラレル／シリアル変換しながら外部モニタ１に夫々送信可能に構成されている。
一方電源供給ライン側はＣＰＵ等に電源を供給するメイン用ＤＣ／ＤＣコンバータ１６、ＣＰＵ１４にリセットをかけるパワーオンリセット回路１５、ＣＰＵによりＯＮ／ＯＦＦ制御される半導体リレー９、該半導体リレーを介してラインドライバ・レシーバ１１とシリアル通信用ＬＳＩ１２へ電源供給するインタフェース用ＤＣ／ＤＣコンバータ１０で構成されている。
【００１４】
次に、かかる構成による動作を説明する。
先ず係留ブイが係留中、言換えれば外部モニタ１や外部電源２が接続されていない状態では、ジャンパ線１９が水中コネクタ３のラインｂ、ｃ端子間に接続されている。
この状態では図１及び図３に示すように水中コネクタ３のジャンパ線１９を経由して半導体リレー８のゲート部（若しくはコイル相当部）８ａに内蔵電池６が印加される状態となるために、半導体リレー８のスイッチ部８ｂがＯＮ状態になり、内蔵電池６からダイオード２２、供給ラインｄ１及びｄを介して信号処理装置５に電力が供給される。
これによって信号処理装置５の内部にあるパワーオンリセット回路１５に電力が供給されると、ＣＰＵ１４にリセットがかけられて初期状態に移る。
このとき信号処理装置５内の半導体リレー９はＯＮ状態となり、インターフェイス用ＤＣ／ＤＣコンバータ１０へ電力が供給される。
【００１５】
しかし係留作動中は外部モニタ１が接続されていないため、外部モニタ１からの接続要求がこない。
この状態が数１０秒間続行されると、ＣＰＵ１４は半導体リレー９をＯＦＦ状態とする。
以上のようにすることで、インターフェイス用ＤＣ／ＤＣコンバータ１０へ電力を供給するのを自動的に停止することができる。
【００１６】
次に外部モニタ１と外部電源２を接続した場合について説明する。
図２は外部モニタ１と外部電源２を水中コネクタ３に接続した場合の関係を示したものである。このときは図２に示されるように、電源制御装置４の内部の半導体リレー８は、水中コネクタ３のジャンパ線１９が断線しているためＯＦＦ状態となっている。
そのため外部電源２を接続した場合は、外部電源２より供給ラインａ、ｄ２及びｄを介して信号処理装置５に電力が供給される為に、耐圧容器７に内蔵されている内蔵電池６は電力を供給しなくてもよくなる。
【００１７】
即ち外部電源２より電力が供給されることで、図４に示される信号処理装置５は全て起動する。さらに外部モニタ１が接続されているため、外部モニタ１よりＣＰＵ１４に接続要求が出される。これによって半導体リレー９はＯＮ状態を保持し続けることになる。
以上の処理の結果から、係留ブイに内蔵される電池６の消費を低減することができる。
【００１８】
従って本発明によれば水中コネクタ３の外部モニタ１、外部電源２、及びジャンパ線１９の接続により２個の半導体リレー８、９の作動を制御し、係留ブイ７に内蔵される内蔵電池４と外部電源２の切替えにより、信号処理装置５と外部モニタ１との間のインターフェイス回路用ＤＣ／ＤＣコンバータ１０への電力供給を制御し、無駄な電力の消費を防ぐ。
【００１９】
特に、通常の係留中は係留ブイＡの内部電池６が各装置に電力を供給するが、外部モニタ１は水中コネクタ３と接続されていないので、信号処理装置５へインターフェイスを要求する信号が送られてこない。この要求信号が確認できない場合は、ＣＰＵ１４が外部モニタ１は接続されていないと判断して、信号処理装置５内の半導体リレー８をＯＦＦとすることで、インターフェイス回路用ＤＣ／ＤＣコンバータ１０への電力供給を停止する。
また、外部電源２が水中コネクタ３に接続されている場合は、電源制御装置４内の半導体リレー８がＯＦＦとなり、この場合も内部電池６が消費されないようになっている。
【００２０】
【発明の効果】
以上記載のごとく本発明によれば次に示すような利点がある。
通常、係留作動中は外部モニタ装置とのインターフェイスは不要であり、その間のインターフェイスの電力を節約できる。
外部モニタ１装置及び外部電源をコネクタに接続することにより、自動的に内部の作動をモニタできる一方、外部電源に接続するタイミングが限定されるため、内部データの保護が可能となる。
【図面の簡単な説明】
【図１】  本発明の第１実施例に係る係留ブイ係留中の系統図を示す。
【図２】  本発明の第１実施例に係る係留ブイ整備点検中の系統図。
【図３】  本発明の第１実施例に係る電源制御装置の内部回路図。
【図４】  本発明の第１実施例に係る信号処理装置の内部回路図。
【符号の説明】
１      外部モニタ
２      外部電源
３      水中コネクタ
４      電源制御装置
５      信号処理装置
６      内蔵電池
７      耐圧容器
８、９  半導体リレー
１０    インターフェイス用ＤＣ／ＤＣコンバータ
１１    ラインドライバ・レシーバ
１２    シリアル通信用ＬＳＩ
１３    バスドライバ
１４    ＣＰＵ
１５    パワーオンリセット回路
１６    メイン用ＤＣ／ＤＣコンバータ
【図１】
0003652789.tif 000002
【図２】
0003652789.tif 000003
【図３】
0003652789.tif 000004
【図４】
0003652789.tif 000005